(57)【要約】【課題】浴室内の浴槽蓋が入浴中の入浴者の邪魔にならずすっきりと収納でき、しかも浴槽蓋の被蓋、開口を負担の少ない動作で行え、更に、必要に応じて当該浴槽蓋を浴槽内の入浴者が棚や物置台として活用できるようにした浴槽蓋を提供することをその課題とする。【解決手段】浴槽を開閉自在に被蓋する浴槽蓋の一端側縁部を浴槽のエプロンの上端縁部に回動自在に軸支すると共に、該浴槽蓋を該エプロンに沿って垂下可能にしたことを特徴とする浴槽蓋。【選択図】図５
2006167109.tif 000002
【特許請求の範囲】
【請求項１】
浴槽を開閉自在に被蓋する浴槽蓋の一端側縁部を浴槽のエプロンの上端縁部に回動自在に軸支すると共に、該浴槽蓋を該エプロンに沿って垂下可能にしたことを特徴とする浴槽蓋。
【請求項２】
前記浴槽蓋をその回動軸に平行に複数個の蓋部に分割すると共に、該分割されたそれぞれの蓋部を互いに回動自在に連結し、それぞれの蓋部を重合した状態で該浴槽蓋を該エプロンに沿って垂下可能にしたことを特徴とする請求項１記載の浴槽蓋。
【請求項３】
前記浴槽蓋をその回動軸に直交して複数個の浴槽蓋に分割すると共に、該分割されたそれぞれの浴槽蓋を互いに独立して該エプロンに沿って垂下可能にしたことを特徴とする請求項１または請求項２記載の浴槽蓋。
【発明の詳細な説明】
【技術分野】
【０００１】
本発明は浴槽を被蓋及び開口する浴槽蓋に関する。さらに詳しくは、浴槽蓋を開けて浴槽を開口したとき、当該浴槽蓋を浴槽のエプロンに沿って垂下できるようにした浴槽蓋に関するものである。
【背景技術】
【０００２】
従来、入浴者の意識が薄らいで前傾姿勢になったような異常状態を検出するために、浴槽の縁部に台を架設支持し、該台に入浴者の加重が加わったとき該台に設けられた加重検出手段でこれを検出し、入浴者の異常を直ちに知らせる浴室安全装置が知られている。
【特許文献１】特開２００３−７７０７６号公報（第１頁、第１図）
【発明の開示】
【発明が解決しようとする課題】
【０００３】
上記特許文献１における浴槽に架設された台は、浴槽蓋ではない。また、この台を使用しないときは浴室内での当該台が邪魔になるという問題があった。本発明は、浴室内の浴槽蓋が入浴者の邪魔にならずすっきりと収納でき、しかも浴槽蓋の被蓋、開口を負担の少ない動作で行え、更に、必要に応じて当該浴槽蓋を浴槽内の入浴者が棚や物置台として活用できるようにした浴槽蓋を提供することをその課題とする。
【課題を解決するための手段】
【０００４】
上記課題を解決するために、本発明に係る浴槽蓋の第一の特徴構成は、請求項１に記載した如く、浴槽を開閉自在に被蓋する浴槽蓋の一端側縁部を浴槽のエプロンの上端縁部に回動自在に軸支すると共に、該浴槽蓋を該エプロンに沿って垂下可能にした点にある。
【０００５】
同第二の特徴構成は、請求項２に記載した如く、第一の特徴構成に加えて、前記浴槽蓋をその回動軸に平行に複数個の蓋部に分割すると共に、該分割されたそれぞれの蓋部を互いに回動自在に連結し、それぞれの蓋部を重合した状態で該浴槽蓋を該エプロンに沿って垂下可能にした点にある。
【０００６】
同第三の特徴構成は、請求項３に記載した如く、第一の特徴構成または第二の特徴構成に加えて、前記浴槽蓋をその回動軸に直交して複数個の浴槽蓋に分割すると共に、該分割されたそれぞれの浴槽蓋を互いに独立して該エプロンに沿って垂下可能にした点にある。
【発明の効果】
【０００７】
請求項１に記載の浴槽蓋は、前記構成であるから、入浴していないときは浴槽が浴槽蓋に完全に被蓋されるとともに、入浴に際して浴槽蓋を開けるときは、浴槽蓋の一端側縁部と浴槽のエプロンの上端縁部との間の回動軸を中心にして該浴槽蓋を２７０度回動するだけで該浴槽蓋を該エプロンに沿って垂下でき、入浴中において該浴槽蓋をすっきりと収納できると共に、該浴槽蓋が入浴者の邪魔にならず浴室を広々と活用できる。また、該浴槽蓋全体を持ち上げることなく浴槽を開口でき、従って、浴槽蓋の被蓋、開口を負担の少ない動作で行えるという効果がある。
【０００８】
請求項２に記載の浴槽蓋は、前記構成であるから、請求項１の浴槽蓋が有する効果に加え、入浴中において、浴槽蓋を重合した状態で該エプロンに沿って垂下できる。従って、浴槽の幅に対して浴槽エプロンの高さが短い場合でも、浴槽を幅広の浴槽蓋で十分に被蓋できると共に、入浴中においては、該浴槽蓋の収納を容易に簡潔の行うことができる。
【０００９】
請求項３に記載の浴槽蓋は、前記構成であるから、請求項１または請求項２の浴槽蓋が有する効果に加え、必要に応じて、分割された浴槽蓋の任意の１個または２個のみを被蓋した状態で浴槽に入ることができ、従って、当該浴槽蓋の被蓋位置を最適にまたは入浴者の好みに応じて設置でき、該浴槽蓋を浴槽内の入浴者が棚や物置台として心地よく活用できるという効果がある。
【発明を実施するための最良の形態】
【００１０】
以下、本発明の実施形態について図面を参照して、詳細に説明する。図１ないし図３は本発明に係る浴槽蓋の第一実施例を示すものである。図１は浴槽蓋１で浴槽２を被蓋したときの斜視図、図２は浴槽蓋１の一部を開けたときの部分断面斜視図でありこの状態では浴槽２の一部しか開口されていない。図３は蓋を全部開け浴槽２を全部開口したときの部分断面斜視図である。
【００１１】
上記図に示されているように、浴槽蓋１は第一蓋部１１と該第一蓋部１１に回動自在に連結された第二蓋部１２とからなり、その回動軸１３は図１に示されている如く第一蓋部１１と第二蓋部１２との当接部上縁部（浴槽蓋１の表面側）に位置している。従って図２に示す如く、この回動軸１３を中心にして谷折して第二蓋部１２を第一蓋部１１に重ねた状態にすることができる。該回動軸１３はいわゆるプラスチック蝶番等からなるものである。浴槽２のエプロン２１の上端縁部は回動軸３２を介して蝶番３の下端縁部が設けられ、該蝶番３の上端縁部に回動軸３１を介して第一蓋部１１の表面側の一端側縁部が連結されている。該蝶番３は薄肉弾性プラスチック等から形成されている。
【００１２】
図２に示す状態において、該回動軸３１及び回動軸３２を回動軸として、第一蓋部１１及び第二蓋部１２を右まわり方向に回動すると図３に示すように第一蓋部１１及び第二蓋部１２を重合した状態で浴槽蓋１のエプロン２１に沿って垂下することができる。図３に示す状態においては、入浴中でも浴槽蓋１が邪魔にならず、浴室を広く利用できるのである。
【００１３】
図４ないし図５は本発明に係る浴槽蓋の第二実施例を示すものである。該第二実施例では、浴槽２の長手方向に沿って、３枚の浴槽蓋１で浴槽２を被蓋するものである。３枚の浴槽蓋１はそれぞれ独立して浴槽２を被蓋または開口できる。
【００１４】
第二実施例においても、それぞれの浴槽蓋１は第一蓋部１１と該第一蓋部１１に回動自在に連結された第二蓋部１２とからなっているが、その回動軸１３は図４、図５に示されているように第一蓋部１１と第二蓋部１２との当接部下縁部（浴槽蓋１の裏面側）に位置している。従って図５に示す如く、この回動軸１３を中心にして山折して第二蓋部１２及び第一蓋部１１のそれぞれの裏面を当接させた状態で重合できる。浴槽２のエプロン２１の上端縁部には回動軸３２を介して蝶番３の下端縁部が設けられ、該蝶番３の上端縁部には回動軸３１を介して第一蓋部１１の表面側の一端側縁部が連結されている。該蝶番３は薄肉弾性プラスチック等から形成されている。第二実施例においては、第二蓋部１２及び第一蓋部１１の間の回動軸１３が浴槽蓋１の裏面側にあるから、該回動軸１３を中心とする谷折はできないようになっている。
【００１５】
該回動軸３１及び回動軸３２を回動軸として、第一蓋部１１及び第二蓋部１２を図５において右まわり方向に回動すると第一蓋部１１及び第二蓋部１２を重合した状態で該浴槽蓋１をエプロン２１に沿って垂下することができる。このとき、第二実施例においては第二蓋部１２が外側に位置するので、該第二蓋部１２が手前側に倒れてこないように、該第二蓋部１２を第一蓋部１１に着脱自在に係合させることが好ましい。このようにしてそれぞれの浴槽蓋１をエプロン２１に沿って垂下することにより、入浴中でも浴槽蓋１が邪魔にならず、浴室を広く利用できるのである。
【００１６】
第二実施例においては、３枚の浴槽蓋のそれぞれが独立して被蓋、開口できるから、例えば真ん中の浴槽蓋１のみを被蓋した状態で両側の浴槽蓋１、１を重合してエプロン２１に沿って垂下でき、この状態で入浴者が該浴槽２に入ると（図示せず）、当該中央の浴槽蓋１が入浴者の前方に位置するので、該入浴者が当該浴槽蓋１を物置台として活用できる。例えば、当該浴槽蓋１を飲料容器、食器の物置台として或いは読書台として活用できる。
【００１７】
第二実施例においては、同一の幅の浴槽蓋１を３枚使用した例であるが、当該浴槽蓋１のそれぞれの幅や枚数を変化させた実施例も本発明の技術範囲に入るものである。
【図面の簡単な説明】
【００１８】
【図１】本発明にかかるの浴槽蓋で浴槽を被蓋したときの第一実施例を示す斜視図。
【図２】図１に示す蓋の一部を開けたときの部分断面斜視図。
【図３】図１に示す蓋を全部開けたときの部分断面斜視図。
【図４】本発明にかかるの浴槽蓋で浴槽を被蓋したときの第二実施例を示す斜視図。
【図５】図４に示す蓋の一部を開けたときの部分断面斜視図。
【符号の説明】
【００１９】
１        浴槽蓋
１１      浴槽蓋を構成する第一蓋部
１２      浴槽蓋を構成する第二蓋部
１３      第二蓋部の第一蓋部に対する回動軸
２        浴槽
２１      浴槽のエプロン
３        第一蓋部の端縁部と浴槽のエプロンの上縁部とを連結する蝶番
３１      第一蓋部の蝶番に対する回動軸
３２      蝶番の浴槽エプロンに対する回動軸
【図１】
2006167109.tif 000003
【図２】
2006167109.tif 000004
【図３】
2006167109.tif 000005
【図４】
2006167109.tif 000006
【図５】
2006167109.tif 000007